(57)【要約】  検索ページインタラクション方法、装置、端末機及び記憶媒体において、この方法は、現在表示ページに位置している検索コントロールに対する第１の予め設定操作に応じて前記現在表示ページを検索ページに切り替え、前記検索ページに少なくとも１つの薦め内容の主題を表示させ、各前記薦め内容の主題の下方に現在の主題に対応する少なくとも１つの動画の動態的サムネイルを表示させるステップ（Ｓ１１０）と、目標薦め内容の主題に対する第２の予め設定操作を識別したことに応じて、前記目標薦め内容の主題に対応する詳細ページに移行させるステップ（Ｓ１２０）と、目標動画の動態的サムネイルに対する第３の予め設定操作を識別したことに応じて、前記目標動画のプレイページに移行させるステップと（Ｓ１３０）、を含む。
2021528771.tif 000002
【特許請求の範囲】
【請求項１】
現在表示ページに位置している検索コントロールに対する第１の予め設定操作に応じて前記現在表示ページを検索ページに切り替え、前記検索ページに少なくとも１つの薦め内容の主題を表示させ、各前記薦め内容の主題の下方に現在の主題に対応する少なくとも１つの動画の動態的サムネイルを表示させるステップと、
目標薦め内容の主題に対する第２の予め設定操作を識別したことに応じて、前記目標薦め内容の主題に対応する詳細ページに移行させるステップと、
目標動画の動態的サムネイルに対する第３の予め設定操作を識別したことに応じて、前記目標動画のプレイページに移行させるステップと、を含むことを特徴とする検索ページインタラクション方法。
【請求項２】
前記薦め内容は、ユーザ画像に基づいて薦められる挑戦や音楽を含むことを特徴とする請求項１に記載の検索ページインタラクション方法。
【請求項３】
前記少なくとも１つの動画の動態的サムネイルは、この動画に対応する主題の下方に逐一配列されて表示されることを特徴とする請求項１に記載の検索ページインタラクション方法。
【請求項４】
前記方法は、前記少なくとも１つの動画の動態的サムネイルの、端末機の表示部における表示領域内での左右スライド操作を識別したことに応じて、左右スライドの方向及び距離に基づいて前記表示領域内に左右スライド操作に対応する動画の動態的サムネイルを表示させるステップをさらに含むことを特徴とする請求項３に記載の検索ページインタラクション方法。
【請求項５】
前記方法は、前記の目標動画のプレイページに移行された後には、前記プレイページでの上下スライド操作を識別したことに応じて、スライド方向に基づいて前記目標動画と隣接する動画のプレイページに移行させるステップをさらに含むことを特徴とする請求項１に記載の検索ページインタラクション方法。
【請求項６】
前記少なくとも１つの動画の動態的サムネイルは、前記検索ページ上にリスト形式で逐一表示され、
前記方法は、前記検索ページでの上下スライド操作を識別したことに応じて、スライド方向及び距離に基づいて前記リストでの対応する薦め内容の主題を取得して表示させるステップをさらに含む
ことを特徴とする請求項１に記載の検索ページインタラクション方法。
【請求項７】
前記第１の予め設定操作は、クリック操作、ダブルクリック操作又は長押し操作を含む、または、第２の予め設定操作は、クリック操作、ダブルクリック操作又は長押し操作を含む、または、第３の予め設定操作は、クリック操作、ダブルクリック操作又は長押し操作を含むことを特徴とする請求項１に記載の検索ページインタラクション方法。
【請求項８】
現在表示ページに位置している検索コントロールに対する第１の予め設定操作に応じて前記現在表示ページを検索ページに切り替え、前記検索ページに少なくとも１つの薦め内容の主題を表示させ、各前記薦め内容の主題の下方に現在の主題に対応する少なくとも１つの動画の動態的サムネイルを表示させる切替表示モジュールと、
目標薦め内容の主題に対する第２の予め設定操作を識別したことに応じて、前記目標薦め内容の主題に対応する詳細ページに移行させる第１の移行モジュールと、
目標動画の動態的サムネイルに対する第３の予め設定操作を識別したことに応じて、前記目標動画のプレイページに移行させる第２の移行モジュールと、を備えることを特徴とする検索ページインタラクション装置。
【請求項９】
前記少なくとも１つの動画の動態的サムネイルは、この動画に対応する主題の下方に逐一配列されて表示されることを特徴とする請求項８に記載の検索ページインタラクション装置。
【請求項１０】
前記少なくとも１つの動画の動態的サムネイルの、端末機の表示部における表示領域内での左右スライド操作を識別したことに応じて、左右スライドの方向及び距離に基づいて前記表示領域内に左右スライド操作に対応する動画の動態的サムネイルを表示させる第１の表示モジュールをさらに備えることを特徴とする請求項９に記載の検索ページインタラクション装置。
【請求項１１】
前記プレイページでの上下スライド操作を識別したことに応じて、スライド方向に基づいて目標動画と隣接する動画のプレイページに移行させる動画切替モジュールをさらに備えることを特徴とする請求項８に記載の検索ページインタラクション装置。
【請求項１２】
前記検索ページでの上下スライド操作を識別したことに応じて、スライド方向及び距離に基づいて前記リストでの対応する薦め内容の主題を取得して表示させる第２の表示モジュールをさらに備えることを特徴とする請求項８に記載の検索ページインタラクション装置。
【請求項１３】
前記第１の予め設定操作は、クリック操作、ダブルクリック操作又は長押し操作を含む、または、第２の予め設定操作は、クリック操作、ダブルクリック操作又は長押し操作を含む、または、第３の予め設定操作は、クリック操作、ダブルクリック操作又は長押し操作を含むことを特徴とする請求項８に記載の検索ページインタラクション装置。
【請求項１４】
少なくとも１つの制御部と、
少なくとも１つのプログラムを記憶する記憶部と、を備え、
前記少なくとも１つの制御部が請求項１〜７のいずれか一項に記載の検索ページインタラクション方法を実現するように、前記少なくとも１つのプログラムが前記少なくとも１つの制御部によって実行されることを特徴とする端末機。
【請求項１５】
コンピュータプログラムが記憶さており、
前記コンピュータプログラムがプロセッサによって実行されることにより、請求項１〜７のいずれか一項に記載の検索ページインタラクション方法が実現されることを特徴とするコンピュータ読み取り可能な記憶媒体。
【発明の詳細な説明】
【技術分野】
【０００１】
（関連特許出願の相互参照関）
本願は、２０１８年０７月０６日に中国特許庁出願した、出願番号が２０１８１０７３８４８５．２である中国特許出願の優先権を主張し、その全ての内容が参照により本願に援用される。
【０００２】
本発明は、インターネット技術分野に関し、特に検索ページインタラクション方法、装置、端末機及び記憶媒体に関するものである。
【背景技術】
【０００３】
ネットワーク技術とスマートデバイスとの発展及び普及に伴い、ユーザは多種のクライアントサイドを利用して自分が気乗りする内容を検索することができる。
【０００４】
しかしながら、従来技術において、ユーザがクライアントサイドソフトウェアを利用して検索を行う場合、検索ページには検索ボックスや人気検索ワードなどのような検索に関連の内容のみが提供されているので、ユーザに対する案内機能を完備せず、ユーザエクスペリエンスに影響を与える。
【発明の概要】
【発明が解決しようとする課題】
【０００５】
以下は、本文の詳細な説明の主題に対する概要である。本概要は、特許請求の範囲を限定するためのものではない。
【０００６】
本開示は、従来技術における検索ページに検索ボックスや人気検索ワードのみが提供されることを防止するための検索ページインタラクション方法、装置、端末機及び記憶媒体を提供する。
【課題を解決するための手段】
【０００７】
第１の形態では、本開示の実施例に係る検索ページインタラクション方法は、現在表示ページに位置している検索コントロールに対する第１の予め設定操作に応じて前記現在表示ページを検索ページに切り替え、前記検索ページに少なくとも１つの薦め内容の主題を表示させ、各前記薦め内容の主題の下方に現在の主題に対応する少なくとも１つの動画の動態的サムネイルを表示させるステップと、目標薦め内容の主題に対する第２の予め設定操作を識別したことに応じて、前記目標薦め内容の主題に対応する詳細ページに移行させるステップと、目標動画の動態的サムネイルに対する第３の予め設定操作を識別したことに応じて、前記目標動画のプレイページに移行させるステップと、を含む。
【０００８】
第２の形態では、本開示の実施例に係る検索ページインタラクション装置は、
現在表示ページに位置している検索コントロールに対する第１の予め設定操作に応じて前記現在表示ページを検索ページに切り替え、前記検索ページに少なくとも１つの薦め内容の主題を表示させ、各前記薦め内容の主題の下方に現在の主題に対応する少なくとも１つの動画の動態的サムネイルを表示させる切替表示モジュールと、目標薦め内容の主題に対する第２の予め設定操作を識別したことに応じて、前記目標薦め内容の主題に対応する詳細ページに移行させる第１の移行モジュールと、目標動画の動態的サムネイルに対する第３の予め設定操作を識別したことに応じて、前記目標動画のプレイページに移行させる第２の移行モジュールと、を備える。
【０００９】
第３の形態では、本開示の実施例に係る端末機は、少なくとも１つの制御部と、少なくとも１つのプログラムを記憶する記憶部と、を備え、前記少なくとも１つの制御部が本開示のいずれかの実施例に記載の検索ページインタラクション方法を実現するように、前記少なくとも１つのプログラムが前記少なくとも１つの制御部によって実行される。
【００１０】
第４の形態では、本開示の実施例に係るコンピュータ読み取り可能な記憶媒体は、コンピュータプログラムが記憶し、前記コンピュータプログラムがプロセッサによって実行されることにより、本開示のいずれかの実施例に記載の検索ページインタラクション方法が実現される。
【００１１】
図面及び詳細な説明を閲覧して理解の上、他の形態も把握することができる。
【図面の簡単な説明】
【００１２】
【図１ａ】本開示の実施例に係る検索ページインタラクション方法のフローチャートである。
【図１ｂ】本開示の実施例に係る現在表示ページから検索ページに切り替えられる効果を示す図である。
【図１ｃ】本開示の実施例に係る検索ページから挑戦主題に対応する詳細ページに移行される効果を示す図である。
【図２】本開示の実施例に係る検索ページインタラクション方法のフローチャートである。
【図３ａ】本開示の実施例に係る検索ページインタラクション方法のフローチャートである。
【図３ｂ】本開示の実施例に係る検索ページから動画プレイページに移行される効果を示す図である。
【図４】本開示の実施例に係る検索ページインタラクション方法のフローチャートである。
【図５】本開示の実施例に係る検索ページインタラクション装置の構成を示すである。
【図６】本開示の実施例に係る端末機の構成を示す図である。
【発明を実施するための形態】
【００１３】
以下、図面及び実施例を参照しながら本開示を説明する。かかる具体的な実施例は、本開示を説明するためのものであり、本開示を限定するためのものではない。なお、便宜上、図面においては、本開示との関連部分のみを示し、全部の構成を示すのではない。
【００１４】
図１ａは、本開示の実施例に係る検索ページインタラクション方法のフローチャートであり、本実施例は、検索ページにおけるユーザに対する案内機能が完備・十分となるようにすることにより、ユーザに気乗りの内容を薦める場合に適用されることができ、この方法は、対応する検索ページインタラクション装置によって実行されることができ、この検索ページインタラクション装置は、ソフトウェア及びハードウェアのうちの少なくとも一方によって具現されることができ、例えばスマトフォンやタブレットパソコンのようにネットワーク通信機能及び撮影設備を有するいずれかの端末機に配置されることができる。
【００１５】
図１ａに示したように、本開示の実施例に係る検索ページインタラクション方法は、ステップＳ１１０、ステップＳ１２０及びステップＳ１３０を含むことができる。
【００１６】
ステップＳ１１０では、現在表示ページに位置している検索コントロールに対する第１の予め設定操作に応じて前記現在表示ページを検索ページに切り替え、前記検索ページに少なくとも１つの薦め内容の主題を表示させ、各前記薦め内容の主題の下方に現在の主題に対応する少なくとも１つの動画の動態的サムネイルを表示させる。
【００１７】
本公開の実施例では、前記第１の予め設定操作、第２の予め設定操作または第３の予め設定操作は、クリック操作、ダブルクリック操作、長押し操作のうちのいずれかの１つであることができるが、ここでは具体的に限定しない。
【００１８】
例示的に、前記第１の予め設定操作がクリック操作であり、ユーザがクライアントサイドで検索を行うときに、ユーザが現在表示ページにおける検索コントロールをクリックしたことが検出されると、動画プレイページのような現在表示ページから検索ページに切り替えられる。例えば、検索ページに切り替えるとともに端末機は現在のネットワークが正常であるかを検出し、現在のネットワークが正常でないと、ユーザにネットワーク接続が失敗したことを提示し、現在のネットワークが正常であると、直接主題に従って進め内容を展示する。
【００１９】
例示的に、図１ｂは、現在表示ページから検索ページに切り替えられる効果図であり、ここで、ユーザが検索コントロール１を押すときに切り替えられ、検索ページにおける「もっと見る」タグ下方には複数の薦め内容の主題が表示され、各前記薦め内容の主題の下方には対応する表示領域が設けられている。例えば、領域２、領域３は、この主題に対応する少なくとも１つの動画の動態的サムネイルが表示される。前記少なくとも１つの動画の動態的サムネイルは、この動画に対応する主題の下方に横方向に逐一配列されて表示される。前記薦め内容は、ユーザ画像に基づいて薦められる挑戦や音楽を含み、具体的には、ユーザの検索履歴に基づいて分析してユーザ画像の標識情報を確定し、この標識情報に基づいて気乗りの挑戦や音楽をユーザに薦める。これ以外、各挑戦や音楽の主題の右側には、この主題や音楽を使用している人数も表示される。
【００２０】
ステップＳ１２０では、目標薦め内容の主題に対する第２の予め設定操作を識別したことに応じて、前記目標薦め内容の主題に対応する詳細ページに移行させる。
【００２１】
本実施例では、前記第２の予め設定操作はクリック操作であることができ、前記目標薦め内容の主題は、検索ページにおけるいずれかの挑戦や音楽の主題であることができる。ユーザがある挑戦や音楽の主題をクリックしたことが識別されると、この挑戦や音楽の主題に対応する詳細ページに移行される。
【００２２】
例示的に、図１ｃに示したように、ユーザが挑戦の主題である「オレンジが微笑挑戦をした」をクリックすると、挑戦の主題である「オレンジが微笑挑戦をした」の詳細ページに移行される。詳細ページの情報の領域１は、挑戦内容の概要が表示されるように設けられており、領域１の下方には、「人気」及び「最新」とのタグが表示されており、各タグの下方には、この主題に対応する動画の動態的サムネイルが表示されており、ユーザは、異なるタグをクリックすることにより、このタグに関する動画のサムネイルを閲覧することができる。前記挑戦主題に対応する詳細ページには、参与コントロール２がさらに設けられており、ユーザは、このコントロールをクリックして撮影ページに進入して、この挑戦主題の動画を撮影することができ、同様に、音楽主題に対応する詳細ページには、同じスタイル動画撮影コントロールが設けられており、ユーザは、このコントロールをクリックして撮影ページに進入して、この音楽主題に対応する動画を撮影することができる。
【００２３】
ステップＳ１３０では、目標動画の動態的サムネイルに対する第３の予め設定操作を識別したことに応じて、前記目標動画のプレイページに移行させる。
【００２４】
本実施例では、前記第３の予め設定操作はクリック操作であることができ、前記目標動画の動態的サムネイルは、いずれかの挑戦や音楽の主題の下方に表示されたいずれかの動画の動態的サムネイルであることができる。ユーザが目標動画の動態的サムネイルをクリックしたことが識別されると、目標動画のプレイページに移行されて、直接このこの目標動画をスレイする。
【００２５】
本開示の実施例では、ステップＳ１２０とステップＳ１３０とは、並列関係であり、前後関係ではない。
【００２６】
本実施例において、ユーザが現在表示ページにおける検索コントロールの操作をクリックすることによって検索ページに移行され、検索ページに複数の薦め内容の主題が表示され、各前記薦め内容の主題の下方には対応する少なくとも１つの動画の動態的サムネイルが表示される。ユーザがある薦め内容の主題をクリックしたことを識別したことに応じて、この主題に対応する詳細ページに移行される。ユーザがある動画の動態的サムネイルをクリックしたことを識別したことに応じて、この動画のプレイページに移行される。本開示の実施例は、ユーザに気乗りの内容を薦めてユーザが選択するようにすることで、ユーザエクスペリエンスを向上させることができる。
【００２７】
図２ａは、本開示の実施例に係る検索ページインタラクション方法のフローチャートであり、本実施例は、上記の実施例を基にして細分化したものであり、具体的には、本開示の実施例に係る検索ページインタラクション方法は、ステップＳ２１０、ステップＳ２２０及びステップＳ２３０を含む。
【００２８】
ステップＳ２１０では、現在表示ページに位置している検索コントロールに対する第１の予め設定操作に応じて前記現在表示ページから検索ページに切り替え、前記検索ページに少なくとも１つの薦め内容の主題を表示させ、各前記薦め内容の主題の下方に現在の主題に対応する少なくとも１つの動画の動態的サムネイルを表示させる。
【００２９】
ステップＳ２２０では、前記少なくとも１つの動画の動態的サムネイルの、端末機の表示部における表示領域内での左右スライド操作を識別したことに応じて、左右スライドの方向及び距離に基づいて前記表示領域内に左右スライド操作に対応する動画の動態的サムネイルを表示させる。
【００３０】
本実施例では、各前記薦め内容の主題の下方には、この主題に対応する少なくとも１つの動画の動態的サムネイルを表示する対応する表示領域が設けられている。ある表示領域内で左右操作が識別されると、ユーザがそのうちから好きな動画を選択するように、左右スライドの方向及び距離に基づいてこの表示領域内に表示された動画の動態的サムネイルを移動させる。例示的に、左右スライド操作は、端末機の静電容量タッチパネルにおける静電容量の変化によって確定されることができる。
【００３１】
ステップＳ２３０では、目標動画の動態的サムネイルに対する第３の予め設定操作を識別したことに応じて、前記目標動画のプレイページに移行させる。
【００３２】
本実施例では、検索ページに進入した後、ユーザが好きな動画を選択するように、ユーザのある主題の下方の表示領域内での左右スライド操作を検出することによって、この表示領域内の動画の動態的サムネイルを対応的に移動させる。
【００３３】
図３ａは、本開示の実施例に係る検索ページインタラクション方法のフローチャートであり、本実施例は、上記の実施例を基にして細分化したものであり、具体的には、本開示の実施例に係る検索ページインタラクション方法は、ステップＳ３１０、ステップＳ３２０及びステップＳ３３０を含む。
【００３４】
ステップＳ３１０では、現在表示ページに位置している検索コントロールに対する第１の予め設定操作に応じて前記現在表示ページから検索ページに切り替え、前記検索ページに少なくとも１つの薦め内容の主題を表示させ、各前記薦め内容の主題の下方に現在の主題に対応する少なくとも１つの動画の動態的サムネイルを表示させる。
【００３５】
ステップＳ３２０では、目標動画の動態的サムネイルに対する第３の予め設定操作を識別したことに応じて、前記目標動画のプレイページに移行させる。
【００３６】
ステップＳ３３０では、前記プレイページでの上下スライド操作を識別したことに応じて、スライド方向に基づいて目標動画と隣接する動画のプレイページに移行させる。
【００３７】
本実施例では、目標動画のプレイページに進入したときに、ユーザが前記プレイページで上下スライド操作をしたことを識別すると、目標動画と隣接する動画のプレイページに移行に移行され、例示的に、上下スライド操作は、静電容量タッチパネルにおける静電容量の変化によって確定されることができる。例示的に、図３ｂは、検索ページからプレイページに移行される効果を示す図であり、ここで、動態的サムネイルａ、ｂ、ｃは隣接しており、ユーザが動態的サムネイルｂをクリックすると、プレイページ上には動態的サムネイルｂに対応する動画がプレイされる。プレイページには、投稿者情報コントロール１、コメント閲覧コントロール２、再投稿コントロール３、コメントボックス４などが表示されている。この場合、プレイページで上スライド操作が識別されると、動態的サムネイルｃのプレイページに移行されて、動態的サムネイルｃに対応する動画がプレイされ、プレイページで下スライド操作が識別されると、動態的サムネイルａのプレイページに移行されて、動態的サムネイルｃに対応する動画がプレイされ、他の動態的サムネイルも同様に、ユーザの上下スライド操作に基づいて、対応する動画がプレイされる。
【００３８】
本実施例では、プレイページに進入した後、識別された上下スライド操作に基づいて、異なる動画がプレイされ、操作が簡単かつ便利であり、直接角動画のプレイ内容に基づいてユーザ自身が好きな動画を選択することができる。
【００３９】
図４ａは、本開示の実施例に係る検索ページインタラクション方法のフローチャートであり、本実施例は、上記の実施例を基にして細分化したものであり、具体的には、本開示の実施例に係る検索ページインタラクション方法は、ステップＳ４１０、ステップＳ４２０及びステップＳ４３０を含む。
【００４０】
ステップＳ４１０では、現在表示ページに位置している検索コントロールに対する第１の予め設定操作に応じて前記現在表示ページから検索ページに切り替え、前記検索ページに少なくとも１つの薦め内容の主題を表示させ、各前記薦め内容の主題の下方に現在の主題に対応する少なくとも１つの動画の動態的サムネイルを表示させる。
【００４１】
本実施例では、前記少なくとも１つの動画の動態的サムネイルは、前記検索ページ上にリスト形式で逐一表示される。
【００４２】
ステップＳ４２０では、前記検索ページでの上下スライド操作を識別したことに応じて、スライド方向及び距離に基づいて前記リストでの対応する薦め内容の主題を取得して表示させる。
【００４３】
本実施例では、検索ページに進入した後、検索ページで上下スライド操作をしたことを識別したことに応じて、スライド方向及び距離に基づいて前記リストでの対応する薦め内容の主題を取得して表示させる。例示的に、ユーザが上スライドをしたことが検出されると、より多い薦め内容を取得するための要求をサーバへ発送し、端末機は、サーバからの薦め内容のデータに基づいて検索ページ上により多い薦め内容を逐一展示する。
【００４４】
ステップＳ４３０では、目標薦め内容の主題に対する第２の予め設定操作を識別したことに応じて、前記目標薦め内容の主題に対応する詳細ページに移行させる。
【００４５】
本実施例では、検索ページに進入した後、ユーザの上下スライド操作を検出し、より多い薦め内容をアップロードして検索ページ上に展示させることにより、ユーザはそのうちから自分の気乗りの内容を選別して閲覧する。
【００４６】
図５は、本開示の実施例に係る検索ページインタラクション装置の構成を示すである。図５に示したように、前記装置は、切替表示モジュール５１０、第１の移行モジュール５２０及び第２の移行モジュール５３０を備える。
【００４７】
切替表示モジュール５１０は、現在表示ページに位置している検索コントロールに対する第１の予め設定操作に応じて前記現在表示ページを検索ページに切り替え、前記検索ページに少なくとも１つの薦め内容の主題を表示させ、各前記薦め内容の主題の下方に現在の主題に対応する少なくとも１つの動画の動態的サムネイルを表示させる。
【００４８】
第１の移行モジュール５２０は、目標薦め内容の主題に対する第２の予め設定操作を識別したことに応じて、前記目標薦め内容の主題に対応する詳細ページに移行させる。
【００４９】
第２の移行モジュール５３０は、目標動画の動態的サムネイルに対する第３の予め設定操作を識別したことに応じて、前記目標動画のプレイページに移行させる。
【００５０】
本実施例に係る検索ページインタラクション装置において、切替表示モジュール５１０が検索ページに切り替えさせ、検索ページに複数の薦め内容の主題及び各主題に対応する複数の動画の動態的サムネイルを展示させ、第１及び第２の移行モジュール５２０、５３０がユーザのクリック操作に基づいて対応する移行を行うことによって、ユーザの気乗りの内容の詳細を展示することができる。これにより、ユーザに気乗りの内容を薦めてユーザが選択するようにすることで、ユーザエクスペリエンスを向上させることができる。
【００５１】
上記の各実施例に加えて、前記薦め内容は、ユーザ画像に基づいて薦められる挑戦や音楽を含む。
【００５２】
上記の各実施例に加えて、前記少なくとも１つの動画の動態的サムネイルは、この動画に対応する主題の下方に逐一配列されて表示される。
【００５３】
上記の各実施例に加えて、前記装置は、前記少なくとも１つの動画の動態的サムネイルの、端末機の表示部における表示領域内での左右スライド操作を識別したことに応じて、左右スライドの方向及び距離に基づいて前記表示領域内に左右スライド操作に対応する動画の動態的サムネイルを表示させる第１の表示モジュールをさらに備える。
【００５４】
上記の各実施例に加えて、前記装置は、前記プレイページでの上下スライド操作を識別したことに応じて、スライド方向に基づいて目標動画と隣接する動画のプレイページに移行させる動画切替モジュールをさらに備える。
【００５５】
上記の各実施例に加えて、前記少なくとも１つの動画の動態的サムネイルは、前記検索ページ上にリスト形式で逐一表示される。
【００５６】
対応的に、前記装置は、前記検索ページでの上下スライド操作を識別したことに応じて、スライド方向及び距離に基づいて前記リストでの対応する薦め内容の主題を取得して表示させる第２の表示モジュールをさらに備える。
【００５７】
上記の実施例に加えて、前記第１の予め設定操作、第２の予め設定操作または第３の予め設定操作は、クリック操作、ダブルクリック操作又は長押し操作を含む。
【００５８】
本開示の実施例に係る検索ページインタラクション装置は、本開示のいずれかの実施例に係る検索ページインタラクション方法を実行することができ、この方法を実行するための機能モジュールを備える。
【００５９】
図６は、本開示の実施例に係る端末機のハードウェア構造を示す図である。端末機はいろいろな形式で具現されることができ、本開示における端末機は、携帯電話、スマトフォン、ノートパソコン、デジタル放送受信機、パーソナルデジタルアシスタント（Ｐｅｒｓｏｎａｌ  Ｄｉｇｉｔａｌ  Ａｓｓｉｓｔａｎｔ，ＰＤＡ）、タブレットパソコン（Ｐｏｒｔａｂｌｅ  Ａｎｄｒｏｉｄ  Ｄｅｖｉｃｅ，ＰＡＤ）、携帯マルチメディアプレーヤー（Ｐｏｒｔａｂｌｅ  Ｍｕｌｔｉｍｅｄｉａ  Ｐｌａｙｅｒ，ＰＭＰ）、ナビゲーション装置、車両用端末機、車両用表示端末、車両用電子バックミラーなどのような移動式端末機、およびデジタルテレビ（ｔｅｌｅｖｉｓｉｏｎ，ＴＶ）、卓上型コンピュータなどのような固定式端末機を含むことができるが、これらに限定されることではない。
【００６０】
図６に示したように、端末機１１００は、無線通信ユニット１１１０、オーディオ／ビデオ（Ａｕｄｉｏ／Ｖｉｄｅｏ，Ａ／Ｖ）入力ユニット１１２０、ユーザ入力ユニット１１３０、検出ユニット１１４０、出力ユニット１１５０、記憶部１１６０、インターフェースユニット１１７０、制御部１１８０、及び電源ユニット１１９０などを備えることができる。図６には、複数のアセンブリを有する端末機を示したが、全てのアセンブリが作動する必要はなく、より多い又は少ないアセンブリが作動してもよい。
【００６１】
無線通信ユニット１１１０は、端末機１１００と無線通信システム又はネットワークとの間の無線通信を許容する。Ａ／Ｖ入力ユニット１１２０は、オーディオ信号又はビデオ信号を受信する。ユーザ入力ユニット１１３０は、端末機の各種操作を制御するように、ユーザが入力した命令によってキーインデータを生成することができる。検出ユニット１１４０は、端末機１１００の目前状態、端末機１１００の位置、ユーザの端末機１１００に対するタッチ入力の有無、端末機１１００の配向、端末機１１００の加速又は減速の移動及び方向などを検出し、端末機１１００の操作を制御するための命令又は信号を生成する。インターフェースユニット１１７０は、少なくとも１つの外部装置と端末機１１００とを接続させるためのインターフェースである。出力ユニット１１５０は、視覚、音響及び触感のうちの少なくとも一方の方式で出力信号を提供する。記憶部１１６０は、制御部１１８０によって実行される処理や操作を制御するソフトウェアプログラムなどを記憶する、または、出力済み又は出力直前のデータを一時的に記憶することができる。記憶部１１６０は、少なくとも１種類の記憶媒体を含むことができる。また、端末機１１００は、ネットワークによって接続されて記憶部１１６０の記憶機能を実行するネットワークストレージ装置と協力することができる。制御部１１８０は、一般には端末機の全般操作を制御する。なお、制御部１１８０は、マルチメディアデータを再現又はプレイバックさせるマルチメディアモジュールを含むことができる。制御部１１８０は、タッチパネルでの手書き入力又は絵描き入力を文字又は画像に識別するように、モード識別処理を実行することができる。電源ユニット１１９０は、制御部１１８０の制御によって外部電力又は内部電力を受け、少なくとも１つの素子及びアセンブリの操作に必要である適切な電力を提供する。
【００６２】
制御部１１８０は、記憶部１１６０に記憶されているプログラムを実行することによって、端末機の全般操作を制御することができ、例えば、本開示の実施例に係る検索ページインタラクション方法を実現し、この方法は、現在表示ページに位置している検索コントロールに対する第１の予め設定操作に応じて前記現在表示ページを検索ページに切り替え、前記検索ページに少なくとも１つの薦め内容の主題を表示させるステップと、目標薦め内容の主題に対する第２の予め設定操作を識別したことに応じて、前記目標薦め内容の主題に対応する詳細ページに移行させるステップと、目標動画の動態的サムネイルに対する第３の予め設定操作を識別したことに応じて、前記目標動画のプレイページに移行させるステップと、を含む。
【００６３】
本開示の実施例に係る記憶媒体は、コンピュータ実行可能な指令を含み、コンピュータ実行可能な指令がコンピュータプロセッサによって実行されるときに、端末機に適用される検索ページインタラクション方法を実行し、この方法は、現在表示ページに位置している検索コントロールに対する第１の予め設定操作に応じて前記現在表示ページを検索ページに切り替え、前記検索ページに少なくとも１つの薦め内容の主題を表示させるステップと、目標薦め内容の主題に対する第２の予め設定操作を識別したことに応じて、前記目標薦め内容の主題に対応する詳細ページに移行させるステップと、目標動画の動態的サムネイルに対する第３の予め設定操作を識別したことに応じて、前記目標動画のプレイページに移行させるステップと、を含む。
【００６４】
勿論、本開示の実施例に係る記憶媒体は、コンピュータ実行可能な指令を含み、コンピュータ実行可能な指令は、上記した方法操作に限定されず、本開示のいずれかの実施例に係る端末機に適用されるテキストプレイ方法における関連操作も実行することができる。
【００６５】
本開示の実施例におけるコンピュータ記憶媒体は、少なくとも１つのコンピュータ読み取り可能な媒体のいずれかの組合せを採用することができる。コンピュータ読み取り可能な媒体は、コンピュータ読み取り可能な信号媒体又はコンピュータ読み取り可能な記憶媒体であることができる。コンピュータ読み取り可能な記憶媒体は、例えば電気、磁気、光、赤外線、半導体のシステム、装置、部品またはこれらのいずれかの組合せであることができるが、これらに限定されることではない。コンピュータ読み取り可能な記憶媒体のより具体的な例（完全に網羅されていないリスト）としては、少なくとも１つの導線を有する電気接続、携帯式磁気ディスク、ハードディスク、ＲＡＭ、ＲＯＭ、ＥＰＲＯＭ（又は、フラッシュメモリ）、光ファイバ、ＣＤ−ＲＯＭ、光記憶部品、磁気記憶部品、又はこれらのいずれかの組合せがある。本実施例では、コンピュータ読み取り可能な記憶媒体は、いずれかの、プログラムが含まっている又は記憶されている有形的媒体であることができ、このプログラムは、指令実行システム、装置又は部品に使用される、または、指令実行システム、装置又は部品と協同して使用されることができる。
【００６６】
コンピュータ読み取り可能な信号媒体は、ベースバンドの又は搬送波の一部として伝播されるデータ信号を含むことができ、コンピュータ読み取り可能な信号媒体には、コンピュータ読み取り可能なプログラムコードが保持されている。このような伝播されるデータ信号は、電磁気信号、光信号またはこれらのいずれかの組合せのような多様な形式を採用することができるが、これらに限定されることではない。コンピュータ読み取り可能な信号媒体は、コンピュータ読み取り可能な記憶媒体以外のいずれかのコンピュータ読み取り可能な媒体であることもできる。コンピュータ読み取り可能な媒体は、指令実行システム、装置又は部品に使用される、または、指令実行システム、装置又は部品と協同して使用されるプログラムを発送、伝播又は搬送させることができる。
【００６７】
コンピュータ読み取り可能な媒体に保持されたプログラムコードは、いずれかの適切なキャリアによって伝送されることができ、キャリアは、電線、光ファイバケーブル、ＲＦ（Ｒａｄｉｏ  Ｆｒｅｑｕｅｎｃｙ）など又はこれらのいずれかの組合せを含むことができるが、これらに限定されることではない。
【００６８】
少なくとも１種のプログラミング言語又はその組合せで本開示の操作を実行するためのコンピュータプログラムコードを編集することができ、前記プログラミング言語は、Ｊａｖａ、Ｓｍａｌｌｔａｌｋ、Ｃ＋＋、Ｒｕｂｙ、Ｇｏのようなオブジェクト指向のプログラミング言語であることもできるし、Ｃ言語又は類似のプログラミング言語のような手続き型プログラミングであることもできる。プログラムコードは、完全にユーザコンピュータで実行されることができ、または、部分的にユーザコンピュータで実行されることができ、または、独立的なソフトウェアパッケージとして実行されることができ、または、一部がユーザコンピュータで実行されかつ一部がリモートコンピュータで実行されることができ、または、完全にユーザコンピュータ又はサーバで実行されることができる。リモートコンピュータに関する場合は、リモートコンピュータは、ローカルエリアネットワーク（Ｌｏｃａｌ  Ａｒｅａ  Ｎｅｔｗｏｒｋ，ＬＡＮ）またはワイドエリアネットワーク（Ｗｉｄｅ  Ａｒｅａ  Ｎｅｔｗｏｒｋ，ＷＡＮ）のようないずれかのネットワークを介してユーザコンピュータに接続されることができ、または、外部コンピュータに接続されることができる（例えば、インターネットサービスプロバイダのサービス提供によってインターネットを介して接続されることができる）。
【図１ａ】
2021528771.tif 000003
【図１ｂ】
2021528771.tif 000004
【図１ｃ】
2021528771.tif 000005
【図２】
2021528771.tif 000006
【図３ａ】
2021528771.tif 000007
【図３ｂ】
2021528771.tif 000008
【図４】
2021528771.tif 000009
【図５】
2021528771.tif 000010
【図６】
2021528771.tif 000011
【国際調査報告】
2021528771.tif 000012
2021528771.tif 000013
2021528771.tif 000014
2021528771.tif 000015